【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者にとって有利な特典を付与するか否かを決定する決定手段と、
前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、
前記示唆演出は、
演出を進行させて前記特典を付与する可能性を示唆する第１期間と、
前記第１期間経過後において演出を所定の状態で留める第２期間と、
前記第２期間経過後において演出を進行させて前記特典を付与するか否かを示唆する第３期間とを含み、
前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、
前記特定演出が実行される割合は、前記第１期間中であるときよりも前記第２期間中であるときの方が低く、
前記示唆演出は一連のストーリーを有するものであって、前記第１期間では前記一連のストーリーが進展され、前記第２期間では前記一連のストーリーは進展せずに前記第１期間における終盤部分が留められ、前記第３期間では前記一連のストーリーが前記終盤部分から再度進展されて当該一連のストーリーにおける結末が実行される、遊技機。
【請求項２】
遊技を行うことが可能な遊技機であって、
遊技者にとって有利な特典を付与するか否かを決定する決定手段と、
前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、
前記示唆演出は、
演出を進行させて前記特典を付与する可能性を示唆する第１期間と、
前記第１期間経過後において演出を所定の状態で留める第２期間と、
前記第２期間経過後において演出を進行させて前記特典を付与するか否かを示唆する第３期間とを含み、
前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、
前記特定演出が実行される割合は、前記第１期間中であるときよりも前記第２期間中であるときの方が低く、
前記第２期間では前記特典が付与されるときと付与されないときとで同じ内容の演出が実行され、前記第３期間では前記特典が付与されるときと付与されないときとで異なる内容の演出が実行される、遊技機。
【請求項３】
遊技を行うことが可能な遊技機であって、
遊技者にとって有利な特典を付与するか否かを決定する決定手段と、
前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、
前記示唆演出は、
演出を進行させて前記特典を付与する可能性を示唆する第１期間と、
前記第１期間経過後において演出を所定の状態で留める第２期間と、
前記第２期間経過後において演出を進行させて前記特典を付与するか否かを示唆する第３期間とを含み、
前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、
前記特定演出が実行される割合は、前記第１期間中であるときよりも前記第２期間中であるときの方が低く、
前記演出実行手段により実行される演出に応じた音を音出力部から出力させる制御を行う音出力制御手段を備え、
前記音出力制御手段は、前記示唆演出の前記第２期間中においては前記音出力部からの音の出力を前記第１期間中であるときよりも抑制する抑制制御を行う、遊技機。
【請求項４】
遊技を行うことが可能な遊技機であって、
遊技者にとって有利な特典を付与するか否かを決定する決定手段と、
前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、
前記示唆演出は、
演出を進行させて前記特典を付与する可能性を示唆する第１期間と、
前記第１期間経過後において演出を所定の状態で留める第２期間と、
前記第２期間経過後において演出を進行させて前記特典を付与するか否かを示唆する第３期間とを含み、
前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、
前記特定演出が実行される割合は、前記第１期間中であるときよりも前記第２期間中であるときの方が低く、
前記演出実行手段により実行される演出に応じた光を発光部から発光させる制御を行う発光制御手段を備え、
前記発光制御手段は、前記示唆演出の前記第１期間中においては前記発光部の発光態様を順次変化させる制御を行い、当該第１期間経過後の前記第２期間中においては前記発光部の発光態様を所定の発光態様で維持する制御を行う、遊技機。
【手続補正２】
【補正対象書類名】明細書
【補正対象項目名】０００７
【補正方法】変更
【補正の内容】
【０００７】
（１）遊技を行うことが可能な遊技機であって、遊技者にとって有利な特典を付与するか否かを決定する決定手段と、前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、前記示唆演出は、演出を進行させて前記特典を付与する可能性を示唆する第１期間と、前記第１期間経過後において演出を所定の状態で留める第２期間と、前記第２期間経過後において演出を進行させて前記特典を付与するか否かを示唆する第３期間とを含み、前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、前記特定演出が実行される割合は、前記第１期間中であるときよりも前記第２期間中であるときの方が低く、前記示唆演出は一連のストーリーを有するものであって、前記第１期間では前記一連のストーリーが進展され、前記第２期間では前記一連のストーリーは進展せずに前記第１期間における終盤部分が留められ、前記第３期間では前記一連のストーリーが前記終盤部分から再度進展されて当該一連のストーリーにおける結末が実行される。
（２）遊技を行うことが可能な遊技機であって、遊技者にとって有利な特典を付与するか否かを決定する決定手段と、前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、前記示唆演出は、演出を進行させて前記特典を付与する可能性を示唆する第１期間と、前記第１期間経過後において演出を所定の状態で留める第２期間と、前記第２期間経過後において演出を進行させて前記特典を付与するか否かを示唆する第３期間とを含み、前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、前記特定演出が実行される割合は、前記第１期間中であるときよりも前記第２期間中であるときの方が低く、前記第２期間では前記特典が付与されるときと付与されないときとで同じ内容の演出が実行され、前記第３期間では前記特典が付与されるときと付与されないときとで異なる内容の演出が実行される。
（３）遊技を行うことが可能な遊技機であって、遊技者にとって有利な特典を付与するか否かを決定する決定手段と、前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、前記示唆演出は、演出を進行させて前記特典を付与する可能性を示唆する第１期間と、前記第１期間経過後において演出を所定の状態で留める第２期間と、前記第２期間経過後において演出を進行させて前記特典を付与するか否かを示唆する第３期間とを含み、前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、前記特定演出が実行される割合は、前記第１期間中であるときよりも前記第２期間中であるときの方が低く、前記演出実行手段により実行される演出に応じた音を音出力部から出力させる制御を行う音出力制御手段を備え、前記音出力制御手段は、前記示唆演出の前記第２期間中においては前記音出力部からの音の出力を前記第１期間中であるときよりも抑制する抑制制御を行う。
（４）遊技を行うことが可能な遊技機であって、遊技者にとって有利な特典を付与するか否かを決定する決定手段と、前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、前記示唆演出は、演出を進行させて前記特典を付与する可能性を示唆する第１期間と、前記第１期間経過後において演出を所定の状態で留める第２期間と、前記第２期間経過後において演出を進行させて前記特典を付与するか否かを示唆する第３期間とを含み、前記第２期間は、前記示唆演出が開始されると前記第１期間が経過するまでに要した時間にかかわらず当該第１期間における終了契機が成立することによって当該第１期間経過後に移行可能な期間であって、当該第２期間中における所定の移行契機が成立することによって前記第３期間に移行するまでの期間であり、前記特定演出が実行される割合は、前記第１期間中であるときよりも前記第２期間中であるときの方が低く、前記演出実行手段により実行される演出に応じた光を発光部から発光させる制御を行う発光制御手段を備え、前記発光制御手段は、前記示唆演出の前記第１期間中においては前記発光部の発光態様を順次変化させる制御を行い、当該第１期間経過後の前記第２期間中においては前記発光部の発光態様を所定の発光態様で維持する制御を行う。
さらに、以下のような構成を備えてもよい。
遊技を行うことが可能な遊技機であって、遊技者にとって有利な特典を付与するか否かを決定する決定手段と、前記決定手段の決定結果に応じて、演出の結末として前記特典を付与するか否かを示唆する示唆演出を実行するとともに、当該示唆演出中において前記特典を付与する旨が決定されていることに対する期待を高めるための特定演出を実行可能とする演出実行手段とを備え、前記示唆演出は、演出を進行させて前記特典を付与する可能性を示唆する第１期間と、前記第１期間経過後において演出を所定の状態で留める第２期間と、前記第２期間経過後において演出を進行させて前記特典を付与するか否かを示唆する第３期間とを含み、前記特定演出は、前記特典を付与する旨が決定されているときにのみ実行可能となる第１特定演出と、前記特典を付与する旨が決定されているときのみならず前記特典を付与する旨が決定されていないときにも実行可能となる第２特定演出とを含み、前記第２期間中において前記特定演出が実行されるときには、前記第２特定演出よりも高い割合で前記第１特定演出が実行され、前記示唆演出は、第１の特典を付与するか否かを示唆する第１示唆演出と、第１の特典よりも遊技者にとって有利な第２の特典を付与するか否かを示唆する第２示唆演出とを含み、前記第１特定演出は、所定種類の第１特定演出と、特別種類の第１特定演出とを含み、前記第１示唆演出の前記第２期間中においては、前記第１特定演出が実行され得る一方で前記特別種類の第１特定演出が実行され得ず、前記第２示唆演出の前記第２期間中においては、前記特別種類の第１特定演出が実行され得る。